(57)【要約】      （修正有）【課題】通風や透光を妨げない、貼りはがせる光触媒シートまたは光触媒フイルターを提供する。【解決手段】光触媒シートまたは光触媒フイルターに、自己粘着スポンジを粘着シートまたは接着剤または縫合でつける。【選択図】図１
0003157787.tif 000002
【実用新案登録請求の範囲】
【請求項１】
光触媒シートまたは光触媒フイルターの端に、アクリルスポンジなどの自己粘着スポンジを略枠体で、つけたことを特徴とする、貼り剥がせる光触媒シートまたは光触媒フイルター。
【考案の詳細な説明】
【技術分野】
【０００１】本考案は、光触媒加工のシートまたはフイルターに関する。
詳しくは自己粘着（または自己接着ともいう）スポンジを利用し、なんども貼りなおせる光触媒加工のシートまたはフイルターに関する。
【背景技術】
【０００２】酸化チタン粉末が紫外線や可視光線で空気をイオン化する光触媒として公知である。近年はアパタイト被覆やナノ微粉末化し性能を高めたものも商業化されている。これらの光触媒を接着溶媒でスプレー化したりもある。
光触媒は、紫外線や可視光線を照射すると触媒作用で空気を分解し、オゾンやイオンなどを発生する。
光触媒により防臭や殺菌、有機物分解に利用できる。
商品としては、インフルエンザ予防マスク、農薬代わり、空気清浄など多方面に利用されている。
壁面塗布やガラス面塗布し、防曇や防汚利用、壁紙利用や造花などに利用される。
プラスチックシートの表面に光触媒酸化チタン微粒子を含むシートやフイルターは容易に得られる。
例えば、透明シート、ガラス板などに光触媒を吹付け乾燥、塗布乾燥、浸漬乾燥などの方法で光触媒シートが得られる。
スポンジや不織布、布、和紙などに光触媒を吹きつけや浸漬、練りこみなどして光触媒フイルターは得られる。
上記のように、光触媒シートまたは光触媒フイルターは得られる。【０００３】自己粘着スポンジはアクリルスポンジが知られている。ガラス面や紙やプラスチックなどの滑面に繰り返し貼れるのが特徴である。
跡を残さず剥離も容易である。テッシュボックスを鏡などの壁面に取り付けできる。
【先行技術文献】
【自己粘着に関する特許文献】
【０００４】
【特許文献１】特許公開２００６−１３６５８６
【特許文献２】特許公開２００３−３３９４３４
【特許文献３】特許公開２００４−２７４６８８
【特許文献４】特許公開２００３−４６６２３
【特許文献５】特許公開２００４−２５４７４８
【特許文献６】特許公表２００２−５０１１２６
【特許文献７】特許公開平１１−２９９６１６
【特許文献８】特許公開２００６−２５９７７
【特許文献９】特許公開２００５−２２６１８８
【特許文献１０】特許公開２００４−３６０１１６
【特許文献１１】特許公開２００５−３５０８４７
【特許文献１２】特許公開２００３−３３９４３４
【特許文献１３】特許出願２００１−１８５７１２
【特許文献１４】特許出願２００３−４０６５２３
【特許文献１５】特許出願２００４−１５０９２２
【光触媒に関する特許文献】
【０００５】
【特許文献１】特許公開平１０−１６４６
【特許文献２】特許公開２００８−１５５４４８
【特許文献３】公開特許公報平３−６８３６０
【特許文献４】公開特許公報２００８−２３７８５５
【特許文献５】登録実用新案公報第３０４６３７７号
【特許文献６】公開特許公報２００８−１５４
【考案の開示】
【考案が解決しようとする課題】
【０００６】自己粘着スポンジシートの片面に光触媒シート及び光触媒フイルターをを貼ると、貼りはがしを繰り返せるが、通風や透光を妨げる。
本考案は通風や透光を妨げない、貼りはがせる光触媒シートまたは光触媒フイルターを得ることを課題とした。
【課題を解決するための手段】
【０００７】本考案は光触媒シートまたは光触媒フイルターに、自己粘着スポンジを粘着シートまたは接着剤または縫合で行う。
自己粘着スポンジを枠体形で取り付けてあるので、通風や透光を妨げない。通風口や照明容器などに貼り付けたりして光触媒効果を得る。
図１に示すように、光触媒シートまたは光触媒フイルターに自己粘着スポンジを枠体で取り付ける。
取り付けは、粘着シートまたは接着剤または縫合など行えばよい。自己粘着スポンジはアクリルスポンジが最適である。
以下自己粘着スポンジをアクリルスポンジで説明する。【０００８】厚み２ミリで、１メートル長さの１メートル幅アクリルスポンジシートに両面粘着シートを貼る。これを１から５センチ幅でカットし帯体を作る。
光触媒シートまたは光触媒フイルター（１）に、該アクリルスポンジ（２）の帯体を略枠体になるように貼り、図１に示す、本考案物を完成する。
口の字形に貼るのが好ましい。端にすべて貼る必要はない。端は１本から３本でもよい。通風や透光を妨げないように取り付けできればよい。
【考案の効果】
【０００９】本考案物は光触媒シートまたは光触媒フイルター（１）を目的の面に貼りはがせる。また通風や透光を妨げないので光触媒効果を妨げない。【００１０】照明器具傘または光源がある箱へ貼り付け剥がしができる。本考案物は光を通し殺菌防臭効果のある光となる。懐中電灯の先に貼れば懐中電灯で、靴など小物を殺菌防臭ができる。窓に貼れば、窓からの明かりで室内を清浄化できる。【００１１】エアコン吹き出し口に貼りはがせるので、既存のエアコンから清浄な空気を吹き出しができる。簡単に取り外すこともできる
全体で貼らないでアクリルスポンジ枠なのではがしやすいから、取替えも容易である。
【考案を実施するための最良の形態】
【００１２】自己粘着スポンジはアクリルスポンジが最適である。アクリルスポンジに両面粘着シートを貼る。これを適宜な幅でカットする。
この帯体アクリルスポンジと光触媒シートまたは光触媒フイルターを組み合わせる。
貼る目的物の寸法に光触媒シートまたは光触媒フイルターをカットし、この縁にアクリルスポンジ帯体を貼り図１の本考案物を得る。
【実施例】
【００１３】図１に示すように、適宜な光触媒シートまたは光触媒フイルター（１）の縁に、１ミリ厚みのアクリルスポンジ（２）を粘着材を利用し枠形に取り付ける。
２ａ、２ｂ、２ｃ、２ｄはアクリルスポンジ帯体である。２ａ、２ｂ、２ｃ、２ｄを組み合わせ略枠体にする。
【産業上の利用可能性】
【００１４】光触媒はウイルス不活性化、脱臭、殺菌、空気浄化などの作用を有する。
本考案物は滑らか面貼りはがせる。貼る面がざらざらでも、プラスチックフイルム等を貼れば滑らか面にできる。
糊跡などは残らない。蛍光灯などの照明器具のカバーに貼る。エアコン吹き出し口の周囲に貼る、その他空気吹き出し口に貼り、光触媒効果を得ることができる。
活性炭や吸着剤その他のシートも利用できる。【００１５】図３に示すように天井エアコン吹き出し口に本考案物を貼れば光触媒効果により清浄な空気を容易に得ることができる。
容易に剥がせるので取替えも楽である。【００１６】図４に示すように光源カバーに本考案物を貼れば光触媒効果により、室内殺菌やができる。
容易に剥がせるので取替えも楽である。
【図面の簡単な説明】
【００１７】
【図１】本考案品平面図である。
【図２】本考案品側面図である。
【図３】本考案使用例の側面図である。
【図４】本考案品使用例の側面図である。
【符合の説明】
【００１８】１  光触媒シートまたは光触媒フイルター
２  アクリルスポンジ
３  粘着材層
４  エアコンの空気吹き出し部
５  空気の流れ
６  光源
７  灯りのカバー
【図１】
0003157787.tif 000003
【図２】
0003157787.tif 000004
【図３】
0003157787.tif 000005
【図４】
0003157787.tif 000006